(57)【特許請求の範囲】
【請求項１】
建物の屋根の勾配面に設けられた箱形の骨組みを有するドーマ構造であって、
前記勾配面から鉛直方向に立ち上がって設けられかつ前記屋根の内部と連通される開口部が形成された鉛直面パネルを備え、この鉛直面パネルは一対の鉛直な縦材およびこれらの一対の縦材の上端部間を連結する横材を含む門形の鉛直面フレームを有し、前記縦材および横材は剛接合され、
前記鉛直面フレームの前記縦材の下端に一端が接合されかつ前記勾配面の勾配方向に沿って設けられた一対の傾斜材と、これらの傾斜材の他端および前記縦材の上端をそれぞれ連結する一対の水平材とを含んで前記骨組みが構成され、これらの水平材にはブレースが架設され、
前記勾配面に沿った矩形の傾斜面フレームを備えた屋根ユニットを有して前記屋根が構成され、この傾斜面フレームは前記勾配面の勾配方向に沿った一対の斜め材を含み、これらの斜め材にはそれぞれ前記傾斜材が固定されていることを特徴とするドーマ構造。
【請求項２】
請求項１に記載したドーマ構造において、前記屋根ユニットは、底面フレームと、この底面フレームの一端から鉛直方向に立ち上がる垂直面フレームと、この垂直面フレームの上端および底面フレームの他端を連結する前記傾斜面フレームとを有して構成され、前記傾斜材はこの傾斜面フレームの前記斜め材の端部に接合され、かつ各斜め材の中間部分と傾斜材との間には隙間が形成されていることを特徴とするドーマ構造。
【請求項３】
請求項１または請求項２に記載したドーマ構造において、前記開口部は前記鉛直パネルのほぼ全面にわたって設けられていることを特徴とするドーマ構造。
【発明の詳細な説明】
【０００１】
【発明の属する技術分野】
本発明は、建物の屋根の勾配面に設けられるドーマ構造に関する。
【０００２】
【背景技術】
近年、住宅等の建物では、床面積を大きく確保できる三階建ての建物が増加している。このような三階建ての建物の三階部分は勾配屋根の内部に形成されることがあり、この場合、三階部分の採光や通気を得るために、開口部を備えたドーマを屋根の勾配面に設けることが多い。
【０００３】
一方、三階建ての建物では、災害時に公共消防等が建物内に進入するための非常用進入口を三階部分に設置することが義務付けられている。この非常用進入口は、道路に面した三階部分の鉛直面に幅寸法750mm以上、高さ寸法1200mm以上の大きさで設ける必要がある。
【０００４】
【発明が解決しようとする課題】
しかし、三階部分が勾配屋根の内部に設けられた建物に対してこのような非常用進入口を設けようとすると、屋根が寄棟の場合や建物の桁側が道路に面している場合等には、屋根の勾配面の奥まった位置に鉛直面を形成してその鉛直面に非常用進入口を形成しなければならないので、困難なうえに雨じまい等の作業が面倒であった（特願平8-10998号）。
【０００５】
このような問題を解決するために、非常用進入口を前述したドーマに設けることが考えられるが、非常進入口は最低限前述した寸法以上の大きさが必要なため、既存の採光用の開口部では非常用進入口に利用するには小さすぎるという不具合があった。また、この開口部を大きく形成しようとすると、従来のままの構造ではドーマ全体の強度が低下してしまうという問題があった。
【０００６】
本発明の目的は、非常用進入口として利用できる程度の大きな開口部を設けても十分な強度を確保できるドーマ構造を提供することにある。
【０００７】
【課題を解決するための手段】
本発明は、図面を参照して説明すると、建物１の屋根５の勾配面５Ｂに設けられた箱形の骨組み２０Ａを有するドーマ構造であって、前記勾配面５Ｂから鉛直方向に立ち上がって設けられかつ前記屋根５の内部と連通される開口部６１が形成された鉛直面パネル６０を備え、この鉛直面パネル６０は一対の鉛直な縦材２２およびこれらの一対の縦材２２の上端部間を連結する横材２３を含む門形の鉛直面フレーム２１を有し、前記縦材２２および横材２３は剛接合され、前記鉛直面フレーム２１の前記縦材２２の下端に一端が接合されかつ前記勾配面５Ｂの勾配方向に沿って設けられた一対の傾斜材２４と、これらの傾斜材２４の他端および前記縦材２２の上端をそれぞれ連結する一対の水平材２５とを含んで前記骨組み２０Ａが構成され、これらの水平材２５にはブレース２７が架設され、前記勾配面５Ｂに沿った矩形の傾斜面フレーム３３を備えた屋根ユニット１３を有して前記屋根５が構成され、この傾斜面フレーム３３は前記勾配面５Ｂの勾配方向に沿った一対の斜め材３４を含み、これらの斜め材３４にはそれぞれ前記傾斜材２４が固定されていることを特徴とする。
【０００８】
ここで、剛接合とは、部材と部材の接合部分が堅固に一体となるような接合をいい、水平反力、垂直反力および曲げモーメントを生ずるものである。例えば、溶接、リベット打ち等による接合の他、ボルト接合の場合でも実質剛接合となる接合は剛接合に含まれる。
【０００９】
本発明においては、鉛直面パネル６０の鉛直面フレーム２１を構成する縦材２２と横材２３とが剛接合されているので、鉛直面パネル６０の剛性が高められ、これにより、骨組み２０Ａ全体の剛性を向上させることができる。従って、鉛直面パネル６０の開口部６１を大きく形成しても十分な強度を維持することができる。
また、この鉛直面パネル６０は勾配面５Ｂから鉛直方向に立ち上がって設けられているため、開口部６１を大きく形成すれば非常用進入口として利用することが可能となり、非常用進入口を屋根５の勾配面５Ｂに形成しなければならない場合でも、ドーマ２０を設置するだけで簡単に形成することができる。
これらにより、前記目的が達成される。
【００１１】
また、鉛直面フレーム２１の縦材２２の下端および上端に連結された傾斜材２４および水平材２５を備えることで、鉛直面フレーム２１の縦材２２、傾斜材２４および水平材２５は三角形に連結されることになるうえ、一対の水平材２５にはブレース２７が架設されるので、骨組み２０Ａ全体で極めて高い剛性が得られるようになる。
【００１３】
また、屋根ユニット１３が勾配面５Ｂの勾配方向に沿った一対の斜め材３４を含んで構成され、斜め材３４は、傾斜材２４と同様に勾配面５Ｂの勾配方向に沿って設けられているので、傾斜材２４を斜め材３４に沿って固定できるようになり、これによって、骨組み２０Ａを屋根ユニット１３へ確実に固定することができる。
【００１４】
前記屋根ユニット１３は、底面フレーム３１と、この底面フレーム３１の一端から鉛直方向に立ち上がる垂直面フレーム３２と、この垂直面フレーム３２の上端および底面フレーム３１の他端を連結する前記傾斜面フレーム３３とを有して構成され、前記傾斜材２４はこの傾斜面フレーム３３の前記斜め材３４の端部に接合され、かつ各斜め材３４の中間部分と傾斜材２４との間には隙間９０が形成されていることが望ましい。
【００１５】
このように斜め材３４の中間部分と傾斜材２４との間に隙間９０を形成することによって、斜め材３４の中間部分にドーマ２０の荷重がかかることがなくなるうえに、傾斜材２４が撓んでもその撓みがそのまま斜め材３４に伝わることがなくなる。従って、斜め材３４の撓みを防止できるようになり、屋根ユニット１３における歪みの発生を抑制することができる。
【００１６】
前記開口部６１は前記鉛直パネル６０のほぼ全面にわたって設けられていることが望ましい。
このようにすれば、開口部６１を大きく形成できるので、採光や通気を十分に確保できるうえに、非常用進入口に必要な大きさが簡単に得られるので開口部６１を非常用進入口に兼用することができる。
【００１９】
【発明の実施の形態】
以下、本発明の一実施形態を図面に基づいて説明する。
図１には、本実施形態のドーマ２０を備えたユニット式建物１が示されている。ユニット式建物１は、基礎２上に組み合わせて配置された複数の建物ユニット４Ａ，４Ｂを含む建物躯体３と、この建物躯体３上に設けられた略切妻状の勾配屋根５とを備えている。
建物ユニット４Ａ，４Ｂは、四本の柱、これらの柱の上端間を連結する上梁および柱の下端間を連結する下梁を含む直方体形状の図示しない骨組みに床材や壁材等を組み付けることにより構成されている。これらの建物ユニット４Ａ，４Ｂは、基礎２上に並べられた一階ユニット４Ａと、この一階ユニット４Ａ上に積層された二階ユニット４Ｂからなり、この一階ユニット４Ａによりユニット式建物１の一階部分が構成され、二階ユニット４Ｂにより二階部分が構成されている。
【００２０】
屋根５は、建物ユニット４と同様な直方体形状の骨組みを有しユニット式建物１の小屋裏三階部分を構成する小屋裏ユニット１１と、この小屋裏ユニット１１上に配置されて屋根５の棟５Ａを構成する棟ユニット１２と、小屋裏ユニット１１の両側に配置されて屋根５の勾配面５Ｂを構成する屋根ユニット１３，１４と、これらの屋根ユニット１３，１４に並設されて屋根５の軒先５Ｃを構成する軒先ユニット１５とを含んで構成されている。棟ユニット１２の上面は棟５Ｃの両側に傾斜した山型に形成され、この傾斜に沿って屋根ユニット１３，１４の上面および軒先ユニット１５の上面は一方向に傾斜している。
【００２１】
これらの棟ユニット１２、屋根ユニット１３，１４および軒先ユニット１５の上面よりなる屋根５の勾配面５Ｂには、小屋裏ユニット１１の内部と連通される窓等の開口部６１を備えた箱形のドーマ２０が設けられている。このドーマ２０は、図２にも示すように、勾配面５Ｂの中央部分を構成する屋根ユニット１３に固定されている。
この屋根ユニット１３は、図３にも示すように、チャンネル材等からなる下梁３１１を仕口３１２を介して矩形に枠組みした底面フレーム３１と、この底面フレーム３１の一端から鉛直方向に立ち上がる垂直面フレーム３２と、この垂直面フレーム３２の上端および底面フレーム３１の他端を連結する矩形の傾斜面フレーム３３とを含んで構成されている。
【００２２】
垂直面フレーム３２は、角パイプ等からなる一対の柱３２１と、これらの柱３２１の上端間を仕口３２３を介して連結する上梁３２２とを含んで門型に形成されている。
傾斜面フレーム３３は、垂直面フレーム３２の仕口３２３と底面フレーム３１の他端を構成する仕口３１２とをそれぞれ連結する一対の斜め材３４を備えている。これらの斜め材３４は屋根５の勾配面５Ｂ（図１参照）の勾配方向に沿って設けられ、斜め材３４の上端間および下端間には、それぞれ連結材３５が架け渡されている。
【００２３】
この斜め材３４の下端と底面フレーム３１の仕口３１２との接合は、図９にも示すように、斜め材３４の下端に固着された取付けボックス３４１を、仕口３１２にベースプレート３１３を介して固着されたブラケット３１４に対してボルト４５およびナット４３で固定することにより行われている。
なお、この取付けボックス３４１は、チャンネル材等からなる斜め材３４の上面（上側のフランジ部３４Ａ，図１２参照）から所定寸法だけ突出するように斜め材３４に取り付けられている。
【００２４】
また、斜め材３４の上端には、図１２にも示すように、取付け部材３４２が固着され、柱３２１の仕口３２３にはブラケット３２４が固着され、このブラケット３２４に取付け部材３４２が被せられてボルト３２５および図示しないナットにより締結固定されている。このブラケット３２４には位置決めピン３２６が立設され、垂直面フレーム３２の柱３２１に対して傾斜面フレーム３３の斜め材３４を位置決めできるようになっている。
【００２５】
なお、斜め材３４のフランジ部３４Ａ，３４Ｂ間には、図１３にも示すように、後述するドーマ２０の傾斜材２４と接合するためのコ字状の第一ブラケット３４３が固定され、上側のフランジ部３４Ａには位置決めピン３４４が突設されている。この第一ブラケット３４３の内側の面には傾斜材２４との接合用のナット４３が固着されている。
【００２６】
このような屋根ユニット１３に取り付けられるドーマ２０は、図４に示すように、両側面が直角三角形の箱形の骨組み２０Ａと、この骨組み２０Ａ上に設けられた切妻状の屋根フレーム２０Ｂとを備えている。
骨組み２０Ａは、一対の鉛直な縦材２２およびこれらの一対の縦材２２の上端部間を連結する横材２３を含む門形の鉛直面フレーム２１と、この鉛直面フレーム２１の縦材２２の下端に一端が接合されかつ勾配面５Ｂ（図１参照）の勾配方向に沿って設けられた一対の傾斜材２４と、これらの傾斜材２４の他端および縦材２２の上端をそれぞれ連結する一対の水平材２５とを含んで構成されている。
【００２７】
鉛直面フレーム２１の縦材２２間には、下端寄りの部分に横架材２６が架設されている。このような鉛直面フレーム２１を含んで、屋根５の勾配面５Ｂから鉛直方向に立ち上がる鉛直面パネル６０が構成されている。鉛直面パネル６０には、そのほぼ全面にわたって前述した開口部６１が設けられている。この開口部６１は、一対の縦材２２、横材２３および横架材２６に囲まれた空間に形成され、具体的には、幅寸法750mm以上、高さ寸法1200mm以上の大きさとされている。
また、一対の傾斜材２４の下部間およびその上端間には、それぞれ架設材５４，５５が架け渡され、一対の水平材２５には、対角状にブレース２７が架設されている。これらの傾斜材２４と水平材２５とは、所定間隔で立設された複数の縦桟２６により連結されている。
【００２８】
鉛直面フレーム２１の縦材２２は、図５および図６に示すように、角パイプ等からなり、横材２３はチャンネル材等からなる。これらの縦材２２および横材２３は剛接合されている。すなわち、縦材２２の横材２３との接合側面には、一対の縦に並ぶボルト孔４１Ａを備えた板状の取付けプレート４１が立設され、その取付けプレート４１の端面は縦材２２に溶接固定されている。横材２３の一対のフランジ部２３Ａ，２３Ｂ間には、Ｌ字状のブラケット４２が溶接固定され、このブラケット４２には縦に並ぶ一対のナット４３が溶接固定されている。これらの取付けプレート４１およびブラケット４２は、ナット４３およびボルト４５により座金４４を介して締結されている。
【００２９】
このような縦材２２には、横材２３との接合側面と直交する側面に、チャンネル材等からなる水平材２５が溶接固定され、水平材２５の各フランジ部２５Ａ，２５Ｂから延設された補強プレート７１で補強されている。
【００３０】
この縦材２２の下端は、図７および図８に示すように、チャンネル材等からなる傾斜材２４の上側のフランジ部２４Ａおよびこのフランジ部２４Ａに延設された延長プレート５１に溶接固定されている。これらの一対のフランジ部２４Ａ，２４Ｂ間には補強ボックス５２が溶接固定され、接合部分の強度が確保されている。
傾斜材２４の補強ボックス５２からは、一対の傾斜材２４が向き合う方向にそれぞれ取付けプレート５３が突設され、これらの取付けプレート５３に傾斜材２４の下部間を連結する架設材５４（図４参照）がボルト４５およびナット４３により固定されている。
【００３１】
この傾斜材２４の下端部は、図９に示すように、屋根ユニット１３の斜め材３４の下端に設けられた取付けボックス３４１にボルト４５およびナット４３によって固定されている。この取付けボックス３４１は、前述した通り斜め材３４から所定寸法突出しているため、取付けボックス３４１と傾斜材２４との接合部分以外では、傾斜材２４と斜め材３４との間にその突出した寸法分の隙間９０が形成されている。
【００３２】
このような傾斜材２４の上端には、図１０および図１１に示すように、一対の傾斜材２４が向き合う方向に取付けプレート５６が突設されている。この取付けプレート５６には傾斜材２４の上端間を連結する架設材５５が取り付けられ、取付けプレート５６に固着されたナット４３およびボルト４５で締結されている。また、傾斜材２４の上側のフランジ部２４Ａには、水平材２５の端部が固定されている。この水平材２５の端部は傾斜材２４の傾斜角度に応じて斜めに切り欠かかれ、この切り欠き面がフランジ部２４Ａに溶接されている。水平材２５の上側のフランジ部２５Ａと傾斜材２４の上側のフランジ部２４Ａとの間には、水平材２５の端面を覆う端面プレート７２が溶接固定されている。
【００３３】
また、傾斜材２４のフランジ部２４Ａ，２４Ｂの間には、水平材２５の下側のフランジ部２５Ｂが固定された位置に補強リブ５７が設けられ、この補強リブ５７に隣接して、傾斜材２４を屋根ユニット１３の斜め材３４に固定するためのコ字状の第二ブラケット５８がはめ込まれて溶接固定されている。この第二ブラケット５８の内側の面には、斜め材３４との接合用のナット４３が溶接固定されている。
【００３４】
このような傾斜材２４は、図１２および図１３に示すように、第二ブラケット５８および第一ブラケット３４３に跨って配置された連結プレート９１を介して斜め材３４に接合されている。この連結プレート９１は、各ブラケット５８，３４３に設けられたナット４３およびボルト４５によって固定されている。
斜め材３４に立設された位置決めピン３４４は、スペーサ９１を介して傾斜材２４のフランジ部２４Ｂに挿入され、斜め材３４に対して傾斜材２４を位置決めできるようになっている。このスペーサ９１は、前述した取付けボックス３４１の斜め材３４から突出した部分の寸法と同じ厚さを備え、これにより、斜め材３４におけるスペーサ９１から取付けボックス３４１までの区間には、傾斜材２４との間に一定間隔の隙間９０が形成されている。
【００３５】
図４に戻って、骨組み２０Ａの上の屋根フレーム２０Ｂは、鉛直面フレーム２１の横材２３上に設置された二等辺三角形状の妻面フレーム８１と、この妻面フレーム８１の頂上部から前述した水平材２５と平行に延びる一対の棟材８２と、これらの棟材８２の両側に水平材２５に沿って設置された一対の軒材８３と、棟材８２および軒材８３の間に所定間隔で架け渡された垂木８４とを含んで構成されている。
棟材８２は、図１４および図１５に示すように、へ字状の屈曲ブラケット８５を介してボルト４５およびナット４３により所定角度で連結固定されている。棟材８２はチャンネル材等からなり、各フランジ部８２Ａ，８２Ｂ間には補強プレート８６が固定され、歪みが防止されている。
これらの棟材８２と垂木８４との接合、垂木８４と軒材８３との接合は溶接により行われている。
【００３６】
軒材８３は、図１６および図１７に示すように、チャンネル材からなり、フランジ部８３Ａ，８３Ｂに跨って固定用プレート８８が固着されている。このような軒材８３は、水平材２５のフランジ部２５Ａに所定間隔で立設されたブラケット８７を介して水平材２５に固定されている。
すなわち、ブラケット８７は、軒材８３側に所定角度で傾斜しかつ下部にＬ字状の受け部材８７Ｂが固定された傾斜プレート８７Ａを備え、この傾斜プレート８７Ａの上部に軒材８３の固定用プレート８８が固定され、受け部材８７Ｂの上面に軒材８３の下側のフランジ部８３Ｂが固定されている。これらの軒材８３とブラケット８７との接合はボルト４５およびナット４３により行われ、この接合により骨組み２０Ａと屋根フレーム２０Ｂとが一体化されている。
【００３７】
このような本実施形態によれば、以下のような効果がある。
すなわち、鉛直面パネル６０の鉛直面フレーム２１を構成する縦材２２と横材２３とが剛接合されているので、鉛直面パネル６０の剛性が高められ、これにより、骨組み２０Ａ全体の剛性を向上させることができる。従って、鉛直面パネル６０の開口部６１を大きく形成しても十分な強度を維持することができる。
また、この鉛直面パネル６０は勾配面５Ｂから鉛直方向に立ち上がって設けられているため、開口部６１を非常用進入口として利用することができる。従って、道路に屋根５の勾配面５Ｂが面していても、ドーマ２０を設置するだけで非常用進入口を簡単に形成することができる。
【００３８】
さらに、骨組み２０Ａは、鉛直面フレーム２１と、縦材２２の下端に一端が接合された一対の傾斜材２４と、これらの傾斜材２４の他端および縦材２２の上端をそれぞれ連結する一対の水平材２５とを含んで構成されるので、縦材２２と傾斜材２４と水平材２５とが三角形に連結されることになるうえ、一対の水平材２５にはブレース２７が架設されているため、骨組み２０Ａ全体で極めて高い剛性が得られる。
【００３９】
また、屋根ユニット１３の傾斜面フレーム３３の斜め材３４は、傾斜材２４と同様に勾配面５Ｂの勾配方向に沿って設けられ、この斜め材３４に傾斜材２４が固定されているので、傾斜材２４が斜め材３４に沿って固定されるようになり、骨組み２０Ａを屋根ユニット１３に確実に固定することができる。
【００４０】
さらに、斜め材３４におけるスペーサ９２と取付けボックス３４１の間の部分部分と、傾斜材２４との間には所定間隔の隙間９０が形成されているので、斜め材３４の中間部分にドーマ２０の荷重がかかることがなくなるうえに、傾斜材２４が撓んでもその撓みがそのまま斜め材３４に伝わることがなくなる。従って、斜め材３４の撓みを防止できるようになり、屋根ユニット１３における歪みの発生を抑制することができる。
【００４１】
また、開口部６１は鉛直面パネル６０のほぼ全面にわたって設けられているため、採光や通気を十分に確保できるうえに、幅寸法750mm以上、高さ寸法1200mm以上の大きさとされているので非常用進入口に兼用することができる。
【００４２】
なお、本発明は前記実施形態に限定されるものではなく、本発明の目的を達成できる他の構成等を含み、以下に示すような変形なども本発明に含まれる。
すなわち、前記実施形態のドーマ２０は、鉛直面フレーム２１、傾斜材２４および水平材２５を含む骨組み２０Ａを有して構成されていたが、図１８に示すように、ドーマ１００を屋根５の勾配面５Ｂに立設された一対の側面構造面材１０１と、これらの一対の側面構造面材１０１の上端部間を連結する上面構造面材１０２とを含んで構成し、これらの側面構造面材１０１および上面構造面材１０２を溶接やフィンガージョイント等により剛接合して、側面構造面材１０１および上面構造面材１０２の勾配方向下端に鉛直面と平行で屋根５の内部と連通される開口部１０３を形成してもよい。なお、このドーマ１００の開口部１０３には開閉自在なサッシ等が組み付けられ（図示省略）、ドーマ１００の上には前記実施形態と同様な屋根フレーム（図示省略）が設置されている。
【００４３】
このようにドーマ１００を構成すれば、側面構造材１０１と上面構造材１０２とが剛接合されているので、ドーマ１００全体の剛性を向上させることができる。従って、側面構造面材１０１および上面構造面材１０２の勾配方向下端に設けられる開口部１０３を大きく形成しても十分な強度を維持することができる。
また、この開口部１０３は鉛直面と平行に設けられているため、開口部１０３を大きく形成することにより非常用進入口として利用することが可能となり、非常用進入口を屋根５の勾配面５Ｂに形成しなければならない場合でも、ドーマ１００を設置するだけで簡単に形成することができる。
【００４４】
また、前記実施形態では、開口部６１を幅寸法750mm以上、高さ寸法1200mm以上の大きさとして非常用進入口に兼用したが、非常用進入口として利用しない場合には、この寸法以下の大きさとしてもよく、開口部６１の具体的な寸法は、実施にあたって適宜設定すればよい。
【００４５】
そして、前記実施形態のドーマ２０は切妻状の屋根フレーム２０Ｂを備えていたが、他の形状としてもよく、或いは、屋根フレーム２０Ｂはなくてもよい。
【００４６】
さらに、前記実施形態のドーマ２０は、屋根ユニット１３に固定されていたが、屋根ユニット１４に固定してもよい。また、建物はユニット式建物１に限定されず、例えば、パネル工法や在来工法により構築された建物であってもよく、ドーマ２０を設置する勾配屋根を備えていれば建物の種類や屋根の種類は任意である。
【００４７】
【発明の効果】
以上に述べたように、本発明によれば、鉛直面パネルの鉛直面フレームを構成する縦材と横材とを剛接合するので、鉛直面パネルの剛性が高められ、これにより、骨組み全体の剛性を向上させることができる。従って、鉛直面パネルの開口部を大きく形成しても十分な強度を維持することができる。
また、この鉛直面パネルは勾配面から鉛直方向に立ち上がって設けられているため、開口部を大きく形成すれば非常用進入口として利用することが可能となり、非常用進入口を屋根の勾配面に形成しなければならない場合でも、ドーマを設置するだけで簡単に形成することができる。
【００４８】
また、本発明によれば、ドーマを構成する側面構造材と上面構造材とを剛接合したので、ドーマ全体の剛性を向上させることができる。従って、側面構造面材および上面構造面材の勾配方向下端に設けられた開口部を大きく形成しても十分な強度を維持することができる。
また、この開口部は鉛直面と平行に設けられているため、開口部を大きく形成すれば非常用進入口として利用することが可能となり、非常用進入口を屋根の勾配面に形成しなければならない場合でも、ドーマを設置するだけで簡単に形成することができる。
【図面の簡単な説明】
【図１】本発明の一実施形態を示す斜視図。
【図２】前記実施形態のドーマおよび屋根ユニットを示す斜視図。
【図３】前記実施形態の屋根ユニットを示す斜視図。
【図４】前記実施形態のドーマを示す斜視図。
【図５】前記実施形態の縦材の上端部周辺を一部破断して示す平面図。
【図６】前記実施形態の縦材の上端部周辺を示す分解斜視図。
【図７】前記実施形態の縦材の下端部周辺を一部破断して示す平面図。
【図８】前記実施形態の縦材の下端部周辺を示す斜視図。
【図９】前記実施形態の傾斜材と斜め材との接合構造を一部破断して示す図。
【図１０】前記実施形態の傾斜材の上端部周辺を示す分解斜視図。
【図１１】前記実施形態の傾斜材の上端部周辺を示す図。
【図１２】前記実施形態の傾斜材と斜め材との接合構造を一部破断して示す図。
【図１３】前記実施形態の傾斜材と斜め材との接合構造を示す断面図。
【図１４】前記実施形態の屋根フレームの棟材を示す図。
【図１５】前記実施形態の屋根フレームの棟材を示す斜視図。
【図１６】前記実施形態の軒材と水平材との接合構造を示す斜視図。
【図１７】前記実施形態の軒材と水平材との接合構造を示す断面図。
【図１８】本発明の他のドーマを示す斜視図。
【符号の説明】
１  ユニット式建物
５  屋根
５Ｂ  勾配面
１３，１４  屋根ユニット
２０，１００  ドーマ
２０Ａ  骨組み
２１  鉛直面フレーム
２２  縦材
２３  横材
２４  傾斜材
２５  水平材
２７  ブレース
３１  底面フレーム
３２  垂直面フレーム
３３  傾斜面フレーム
３４  斜め材
６０  鉛直面パネル
６１，１０３  開口部
１０１  側面構造面材
１０２  上面構造面材
【図１】
0003810866.tif 000002
【図２】
0003810866.tif 000003
【図３】
0003810866.tif 000004
【図４】
0003810866.tif 000005
【図５】
0003810866.tif 000006
【図６】
0003810866.tif 000007
【図７】
0003810866.tif 000008
【図８】
0003810866.tif 000009
【図９】
0003810866.tif 000010
【図１０】
0003810866.tif 000011
【図１１】
0003810866.tif 000012
【図１２】
0003810866.tif 000013
【図１３】
0003810866.tif 000014
【図１４】
0003810866.tif 000015
【図１５】
0003810866.tif 000016
【図１６】
0003810866.tif 000017
【図１７】
0003810866.tif 000018
【図１８】
0003810866.tif 000019